(57)【要約】【課題】レーザスキャンユニットを備えた画像形成装置において、ユニットのハウジング部材を治具に固定した状態で、コリメータレンズの位置調整と固定を容易に行なえるようにする。【解決手段】レーザダイオード３１が実装された回路基板３２及びコリメータレンズ３３をハウジング部材４２に直接装着すると共に、ハウジング部材４２のレーザダイオード３１とコリメータレンズ３３を結んだ延長線上に、コネクタ４１を回路基板４０に接続するための開口４３を設ける。シリンダレンズ３５とポリゴンミラー３６をハウジング部材４２に組み込む前に、レーザダイオード３１を発光させ、コリメータレンズ３３を透過したレーザビームを開口４３からハウジング部材４２の外に出射させて、所定の側定器で測定する。この測定値に基いて、コリメータレンズ３３の位置を微調整し、光硬化性樹脂によって固定する。【選択図】図２
2006123478.tif 000002
【特許請求の範囲】
【請求項１】
表面に感光体が塗布された感光体ドラムと、
前記感光体ドラムの表面を均一に帯電させる帯電手段と、
前記感光体の表面にレーザビームを走査させながら照射して潜像を形成する露光手段と、
前記感光体の表面のうち潜像が形成された部分にトナーを付着させてトナー像を形成する現像手段と、
前記感光体ドラムの回転方向の前記現像手段よりも下流側の所定の転写位置において、前記感光体ドラムの表面に対向するように設けられ、前記感光体ドラムの表面に形成されたトナー像を記録紙の上に転写させる転写手段と、
トナー像が転写された記録紙に所定の熱及び圧力を与えてトナー像を記録紙上に定着させる定着手段と、
上記各部を制御する制御手段とを備えた画像形成装置において、
前記露光手段は、レーザビームを出射するレーザダイオードと、このレーザダイオードを実装する第１の回路基板と、前記レーザダイオードから出射されたレーザビームを平行化するコリメータレンズと、このコリメータレンズによって平行化されたレーザビームを主走査方向にのみ集束させるシリンダレンズと、このシリンダレンズによって主走査方向にのみ集束されたレーザビームを主走査方向に走査するように反射させるポリゴンミラーと、このポリゴンミラーによって反射されたレーザビームを透過させるｆθレンズと、このｆθレンズを透過したレーザビームを前記感光体ドラムの表面に向けて反射させるミラー部材と、前記ポリゴンミラーを回転駆動するための駆動手段が実装された第２の回路基板と、この第２の回路基板と前記制御手段を接続するためのコネクタと、これらの各部品が組み込まれる箱状のハウジング部材とを有し、
前記レーザダイオード、コリメータレンズ、シリンダレンズ及びポリゴンミラーは略一直線上に配置され、
前記レーザダイオードが実装された第１の回路基板及びコリメータレンズは前記ハウジング部材上に直接装着され、
前記ハウジング部材は、前記レーザダイオードと前記コリメータレンズとを結んだ延長線上に、前記コネクタを前記第２の回路基板に接続するための開口を有し、
前記コリメータレンズは、前記シリンダレンズ及びポリゴンミラーが前記ハウジング部材に組み込まれる前に、光硬化性樹脂が塗布された状態で前記ハウジング部材上の所定の位置に保持され、その状態で前記レーザダイオードを発光させ、前記コリメータレンズを透過したレーザビームを前記開口から前記ハウジング部材の外に通過させ、この通過させたレーザビームを測定しながら、その光軸方向の位置を微調整され、その後、前記光硬化性樹脂に光を照射して硬化させることにより前記ハウジング部材上に固定され、
前記シリンダレンズは、前記ポリゴンミラー、ｆθレンズ及びミラー部材が組み込まれた後に、光硬化性樹脂が塗布された状態で前記ハウジング部材上の所定の位置に保持され、その状態で前記レーザダイオードを発光させ、前記ミラー部材によって前記ハウジング部材の外に反射されたレーザビームを測定しながら、その位置を微調整されることにより、光軸方向に位置決めされ、その後、前記光硬化性樹脂に光を照射して硬化させることにより前記ハウジング部材上に固定され、
これにより、前記コリメータレンズ及びシリンダレンズの位置を容易に調整し固定可能としたことを特徴とする画像形成装置。
【請求項２】
表面に感光体が塗布された感光体ドラムと、
前記感光体ドラムの表面を均一に帯電させる帯電手段と、
前記感光体の表面にレーザビームを走査させながら照射して潜像を形成する露光手段と、
前記感光体の表面に形成されたトナー像を現像する現像手段と、
前記感光体ドラムの回転方向の前記現像手段よりも下流側の所定の転写位置において、前記感光体ドラムの表面に対向するように設けられ、前記感光体ドラムの表面に形成されたトナー像を記録紙の上に転写させる転写手段と、
転写されたトナー像を記録紙上に定着させる定着手段と、
上記各部を制御する制御手段とを備えた画像形成装置において、
前記露光手段は、レーザビームを出射するレーザダイオードと、このレーザダイオードから出射されたレーザビームを平行化するコリメータレンズと、このコリメータレンズによって平行化されたレーザビームを主走査方向に走査するように反射させるポリゴンミラーと、前記ポリゴンミラーを回転駆動するための駆動手段が実装された回路基板と、この回路基板と前記制御手段を接続するためのコネクタと、これらの各部品が組み込まれるハウジング部材とを有し、
前記レーザダイオード及びコリメータレンズは前記ハウジング部材上に直接装着され、
前記ハウジング部材は、
前記レーザダイオードと前記コリメータレンズとを結んだ延長線上に、前記コネクタを前記回路基板に接続するための開口を有し、
前記コリメータレンズは、前記ポリゴンミラーが前記ハウジング部材に組み込まれる前に、前記レーザダイオードを発光させ、前記コリメータレンズを透過したレーザビームを前記開口から前記ハウジング部材の外に通過させ、この通過させたレーザビームを測定することにより、その光軸方向の位置が微調整され、
これにより、前記コリメータレンズの位置を容易に調整可能としたことを特徴とする画像形成装置。
【発明の詳細な説明】
【技術分野】
【０００１】
本発明は、感光体ドラムの表面にレーザビームを走査させながら照射して潜像を形成するレーザスキャンユニットを備えた画像形成装置に関するものである。
【背景技術】
【０００２】
従来から、レーザスキャンユニットを備えた画像形成装置においては、通常、光源であるレーザダイオードの光軸上に直列に並べて配置されたコリメータレンズ、シリンダレンズ及びポリゴンミラーによって感光体ドラムの露光に必要な走査光を発生させている。コリメータレンズから平行光を出射させるためには、コリメータレンズの焦点にレーザダイオードを正確に位置させる必要があり、そのためコリメータレンズは、レーザダイオードに対して光軸方向の位置を調整できるように構成されている。
【０００３】
コリメータレンズの位置調整は、レーザダイオードを発光させ、コリメータレンズを透過したレーザビームを所定の側定器で測定することによりなされている。しかしながら、上述した各光学部品がレーザスキャンユニットのハウジング部材に搭載された状態では、コリメータレンズ、シリンダレンズ及びポリゴンミラーの配置の関係上、コリメータレンズを透過したレーザビームの光路上にシリンダレンズ及びポリゴンミラー位置することになるため、ハウジング部材の外側に設けた側定器で透過ビームを測定することができない。そこで、従来の画像形成装置においては、レーザダイオード及びコリメータレンズを保持するためのコリメータベース部材を設け、このコリメータベース部材を所定の測定治具に搭載し、コリメータレンズの位置調整を行なった後、コリメータレンズを接着剤でコリメータベース部材に固定している。そして、コリメータレンズが固定されたコリメータベース部材を測定治具から取り外し、レーザスキャンユニットのハウジングに装着している。
【０００４】
一方、シリンダレンズもポリゴンミラーに対して光軸方向の位置調整が必要である。コリメータレンズの位置調整は、コリメータベース部材、シリンダレンズ、ポリゴンミラー、ｆθレンズ及びミラー部材が組み込まれたレーザスキャンユニットのハウジングを所定の測定治具に搭載した状態で、レーザダイオードを発光させ、ミラー部材によってハウジング部材の外に反射されたレーザビームを所定の側定器で測定することによりなされている。
【０００５】
このように従来の画像形成装置においては、コリメータベース部材にレーザダイオード及びコリメータレンズを組み込んだ状態でコリメータレンズの位置を調整し、ハウジング部材にコリメータベース部材、シリンダレンズ、ポリゴンミラー等を組み込んだ状態でシリンダレンズの位置を調整している。従って、コリメータレンズの位置を調整する際にコリメータベース部材をベース部材専用の治具に固定し、シリンダレンズの位置を調整する際にハウジング部材をハウジング部材専用の治具に固定するといった手間が発生し、画像形成装置の生産性の低下を招き、その製造コストが高騰する一因となっている。
【０００６】
なお、特許文献１には、ｆθレンズを位置決めする位置決め部材をハウジング部材のリブに一体的に形成したレーザスキャンユニットが示されている。また、特許文献２には、レーザダイオード及びコリメータレンズを上記コリメータベース部材と同等の光学ケースに搭載し、光学ケース、シリンダレンズ、ポリゴンミラー等を上記ハウジング部材と同等の光学ベースに搭載する構成が示されている。また、特許文献３には、レーザダイオード、レンズ、ミラーをベース部材に搭載し、ポリゴンミラー及びｆθレンズをハウジング部材に搭載する構成が示されている。これらいずれの特許文献に示された技術を適用しても、上述した問題を解決することができない。
【特許文献１】特開平１０−２１３７７０公報
【特許文献２】特開平１０−２３９６２１号公報
【特許文献３】特開２０００−１４７３９９公報
【発明の開示】
【発明が解決しようとする課題】
【０００７】
本発明は、上記課題を解決するためになされたものであり、ハウジング部材を治具に固定した状態で、コリメータレンズの位置調整と固定を容易に行なえるようにして生産性の向上を図った画像形成装置を提供することを目的とする。
【課題を解決するための手段】
【０００８】
上記目的を達成するために請求項１の発明は、表面に感光体が塗布された感光体ドラムと、感光体ドラムの表面を均一に帯電させる帯電手段と、感光体の表面にレーザビームを走査させながら照射して潜像を形成する露光手段と、感光体の表面のうち潜像が形成された部分にトナーを付着させてトナー像を形成する現像手段と、感光体ドラムの回転方向の現像手段よりも下流側の所定の転写位置において、感光体ドラムの表面に対向するように設けられ、感光体ドラムの表面に形成されたトナー像を記録紙の上に転写させる転写手段と、トナー像が転写された記録紙に所定の熱及び圧力を与えてトナー像を記録紙上に定着させる定着手段と、上記各部を制御する制御手段とを備えた画像形成装置において、露光手段は、レーザビームを出射するレーザダイオードと、このレーザダイオードを実装する第１の回路基板と、レーザダイオードから出射されたレーザビームを平行化するコリメータレンズと、このコリメータレンズによって平行化されたレーザビームを主走査方向にのみ集束させるシリンダレンズと、このシリンダレンズによって主走査方向にのみ集束されたレーザビームを主走査方向に走査するように反射させるポリゴンミラーと、このポリゴンミラーによって反射されたレーザビームを透過させるｆθレンズと、このｆθレンズを透過したレーザビームを感光体ドラムの表面に向けて反射させるミラー部材と、ポリゴンミラーを回転駆動するための駆動手段が実装された第２の回路基板と、この第２の回路基板と制御手段を接続するためのコネクタと、これらの各部品が組み込まれる箱状のハウジング部材とを有し、レーザダイオード、コリメータレンズ、シリンダレンズ及びポリゴンミラーは略一直線上に配置され、レーザダイオードが実装された第１の回路基板及びコリメータレンズはハウジング部材上に直接装着され、ハウジング部材は、レーザダイオードとコリメータレンズとを結んだ延長線上に、コネクタを第２の回路基板に接続するための開口を有し、コリメータレンズは、シリンダレンズ及びポリゴンミラーがハウジング部材に組み込まれる前に、光硬化性樹脂が塗布された状態でハウジング部材上の所定の位置に保持され、その状態でレーザダイオードを発光させ、コリメータレンズを透過したレーザビームを開口からハウジング部材の外に通過させ、この通過させたレーザビームを測定しながら、その光軸方向の位置を微調整され、その後、光硬化性樹脂に光を照射して硬化させることによりハウジング部材上に固定され、シリンダレンズは、ポリゴンミラー、ｆθレンズ及びミラー部材が組み込まれた後に、光硬化性樹脂が塗布された状態でハウジング部材上の所定の位置に保持され、その状態でレーザダイオードを発光させ、ミラー部材によってハウジング部材の外に反射されたレーザビームを測定しながら、その位置を微調整されることにより、光軸方向に位置決めされ、その後、光硬化性樹脂に光を照射して硬化させることによりハウジング部材上に固定され、これにより、コリメータレンズ及びシリンダレンズの位置を容易に調整し固定可能としたものである。
【０００９】
請求項２の発明は、表面に感光体が塗布された感光体ドラムと、感光体ドラムの表面を均一に帯電させる帯電手段と、感光体の表面にレーザビームを走査させながら照射して潜像を形成する露光手段と、感光体の表面に形成されたトナー像を現像する現像手段と、感光体ドラムの回転方向の現像手段よりも下流側の所定の転写位置において、感光体ドラムの表面に対向するように設けられ、感光体ドラムの表面に形成されたトナー像を記録紙の上に転写させる転写手段と、転写されたトナー像を記録紙上に定着させる定着手段と、上記各部を制御する制御手段とを備えた画像形成装置において、露光手段は、レーザビームを出射するレーザダイオードと、このレーザダイオードから出射されたレーザビームを平行化するコリメータレンズと、このコリメータレンズによって平行化されたレーザビームを主走査方向に走査するように反射させるポリゴンミラーと、ポリゴンミラーを回転駆動するための駆動手段が実装された回路基板と、この回路基板と制御手段を接続するためのコネクタと、これらの各部品が組み込まれるハウジング部材とを有し、レーザダイオード及びコリメータレンズはハウジング部材上に直接装着され、ハウジング部材は、レーザダイオードとコリメータレンズとを結んだ延長線上に、コネクタを回路基板に接続するための開口を有し、コリメータレンズは、ポリゴンミラーがハウジング部材に組み込まれる前に、レーザダイオードを発光させ、コリメータレンズを透過したレーザビームを開口からハウジング部材の外に通過させ、この通過させたレーザビームを測定することにより、その光軸方向の位置が微調整され、これにより、コリメータレンズの位置を容易に調整可能としたものである。
【発明の効果】
【００１０】
請求項１の発明によれば、レーザダイオードが実装された第１の回路基板及びコリメータレンズがハウジング部材の上に直接装着され、かつレーザダイオードとコリメータレンズとを結んだ延長線上に開口が設けられているので、コリメータレンズの調整時にコリメータレンズを透過したレーザビームを開口からハウジング部材の外に出射させることができる。従って、開口より出射された透過ビームを測定することにより、ハウジング部材を治具に装着した状態でコリメータレンズを位置決めすることが可能になる。またその後、ハウジング部材を治具から外すことなく、シリンダレンズ及びポリゴンミラー等をハウジング部材に組み込んで、シリンダレンズを位置決めすることができる。これにより、レーザスキャンユニットの製造工程が簡略化され、画像形成装置の製造コストを低減することが可能になる。また、コリメータレンズの位置調整の際にレーザビームを通過させた開口には、コネクタが挿入されるので、画像形成装置の動作時に開口からハウジングの外部に光が漏れる虞もない。また、従来の画像形成装置において必要であったレーザダイオード及びコリメータレンズを搭載するコリメータベース部材が不要となるので、レーザスキャンユニットの部品点数及びその組み立て工数を削減することができ、画像形成装置の製造コストを低減することが可能になる。
【００１１】
請求項２の発明によれば、レーザダイオード及びコリメータレンズがハウジング部材の上に直接装着され、かつレーザダイオードとコリメータレンズとを結んだ延長線上に開口が設けられているので、コリメータレンズの調整時にコリメータレンズを透過したレーザビームを開口からハウジング部材の外に出射させることができる。従って、開口より出射された透過ビームを測定することにより、ハウジング部材を治具に装着した状態でコリメータレンズを位置決めすることが可能になる。これにより、レーザスキャンユニットの製造工程が簡略化され、画像形成装置の製造コストを低減することが可能になる。また、コリメータレンズの位置調整の際にレーザビームを通過させた開口には、コネクタが挿入されるので、画像形成装置の動作時に開口からハウジングの外部に光が漏れる虞もない。また、従来の画像形成装置で必要であったレーザダイオード及びコリメータレンズを搭載するコリメータベース部材が不要となるので、部品点数及びその組み立て工数を削減することができ、画像形成装置の製造コストを低減することが可能になる。
【発明を実施するための最良の形態】
【００１２】
本発明を実施するための最良の実施形態によるレーザビームプリンタについて図面を参照して説明する。図１は、レーザビームプリンタ１の一構成例を示している。レーザビームプリンタ１は、表面に感光体が塗布されている感光体ドラム２と、感光体ドラム２の周囲に回転方向Ａの上流側から下流側に向って順次配置されているクリーナ３、帯電器（帯電手段）４、レーザスキャンユニット（露光手段）５、現像ブラシ（現像手段）６、及び転写ローラ（転写手段）７と、転写ローラ７に対して記録紙Ｐの搬送方向Ｂの下流側に配置されている定着ローラ（定着手段）８と、記録紙Ｐが装填される給紙トレイ９と、プリント済みの記録紙Ｐが堆積される排紙トレイ１０と、記録紙Ｐを搬送するための記録紙搬送機構（搬送手段）１１と、装置各部の制御を司る制御部１２等によって構成されている。上記各部品は、レーザビームプリンタ１の底部等に配されている金属フレーム１３に装着されている。また、金属フレーム１３には、上記各部品を覆い、レーザビームプリンタ１の外装を形成するキャビネット１４が装着され、その上部には、記録紙搬送機構１１に詰まった記録紙Ｐを除去するため又は後述するトナーカートリッジ１７を交換するためのドア部材１５が開閉自在に設けられている。
【００１３】
クリーナ３は、感光体ドラム２の表面に付着している１行程（１回転）前のトナー及び紙粉を除去し、ドラム表面を清掃する。帯電器４は、クリーナ３によって清掃された感光体ドラム２の表面を均一に帯電させる。レーザスキャンユニット５は、帯電器４によって帯電された感光体ドラム２の表面にレーザビームＬを走査させながら照射して潜像を形成する。レーザスキャンユニット５は、電源装置（図示せず）によって給電され、レーザダイオードの発光のための発光電圧が印加される。現像ブラシ６は、トナーが充填されたトナーカートリッジ１７に装着されており、感光体ドラム２の表面のうち潜像が形成された部分にトナーを付着させてトナー像を形成する。転写ローラ７は、感光体ドラム２の表面に対向するように設けられ、記録紙Ｐを感光体ドラム２の表面に押圧しながら記録紙Ｐの表面を帯電させて、感光体ドラム２の表面に形成されたトナー像を記録紙Ｐの上に転写させる。転写ローラ７には、記録紙Ｐの表面を帯電させるための転写電圧が電源装置より印加される。定着ローラ８は、相対向する位置に配置されたローラ１８と共に記録紙Ｐを挟み込んで、記録紙Ｐに熱と圧力を加えてトナーを定着させる。トナー定着のための熱は、定着ローラ８に内蔵されているヒータ（例えば、ハロゲンランプ等）から供給される。ヒータには、電源装置によって発生された定着電圧が印加される。
【００１４】
記録紙搬送機構１１は、ピックアップローラ１１ａ、搬送ローラ１１ｂ、１１ｃ、１１ｄと、給紙トレイ９の近傍に配置され、載置された記録紙Ｐをピックアップローラ１１ａに押圧する紙積載板２０と、紙積載板２０をピックアップローラ１１ａの側に付勢するコイルばね２１等を有している。
【００１５】
給紙トレイ９と紙積載板２０とによって、記録紙Ｐを載置するための記録紙載置面２３が連続的に形成される。ユーザが、給紙トレイ９の側から複数枚の記録紙Ｐを積層状態で挿入することにより、記録紙載置面２３の上に記録紙Ｐが載置される。
【００１６】
ピックアップローラ１１ａは、記録紙載置面２３に対向配置され、記録紙載置面２３の上に載置された記録紙Ｐのうち最上のものを、搬送ローラ１１ｂに送り出す。搬送ローラ１１ｂは、ピックアップローラ１１ａによって送り出された記録紙Ｐを搬送ローラ１１ｃに送り出す。搬送ローラ１１ｃ、１１ｄは、搬送ローラ１１ｂと転写ローラ７との間で互いに対向するように配置され、搬送ローラ１１ｂによって送り出された記録紙Ｐを転写位置まで搬送する。
【００１７】
図２及び図３は、レーザスキャンユニット５の構成を示している。レーザスキャンユニット５は、レーザビームを出射するレーザダイオード３１と、レーザダイオード３１に駆動電圧を印加する第１の回路基板３２と、レーザダイオード３１から出射されたレーザビームを平行化するコリメータレンズ３３と、コリメータレンズ３３によって平行化されたレーザビームの一部を通過させて絞り込むスリット３４と、スリット３４を通過したレーザビームを主走査方向にのみ集束させるシリンダレンズ３５と、シリンダレンズ３５によって集束されたレーザビームを主走査方向に走査するように反射させるポリゴンミラー３６と、ポリゴンミラー３６によって反射されたレーザビームを透過させるｆθレンズ３７と、ｆθレンズ３７を透過したレーザビームを感光体ドラム２の表面に向けて反射させるミラー部材３８と、ポリゴンミラー３６を回転駆動するための駆動モータ（駆動手段）３９が実装された第２の回路基板４０と、第２の回路基板４０と制御部１２を接続するためのコネクタ４１と、これらの各部品が組み込まれる箱状のハウジング部材４２等を有している。
【００１８】
レーザダイオード３１は、第１の回路基板３２に実装されている。第１の回路基板３２、コリメータレンズ３３、スリット３４、シリンダレンズ３５、第２の回路基板４０、ｆθレンズ３７及びミラー部材３８は、ハウジング部材４２の上に直接装着されている。コリメータレンズ３３、シリンダレンズ３５及びポリゴンミラー３６は、レーザダイオード３１の光軸上に配置されている。また、第２の回路基板４０に隣接するハウジング部材４２の側面には、レーザダイオード３１とコリメータレンズ３３とを結んだ延長線Ｌ０（図３参照）の上に、コネクタ４１を第２の回路基板４０に接続するための開口４３が設けられている。
【００１９】
次に、レーザスキャンユニット５の組み立て工程について説明する。レーザスキャンユニット５の組み立てにあたって、ハウジング部材４２は所定の治具（図４参照）に搭載されている。治具に搭載されたハウジング部材４２の開口４３に対応する位置には、コリメータレンズ３３の位置を調整する際に、コリメータレンズ３３を透過したレーザビームを測定するための側定器（図４参照）が設けられており、ミラー部材３８による反射ビームの光軸上には、シリンダレンズ３５の位置を調整する際に、反射ビームを測定するための側定器（図示せず）が設けられている。レーザスキャンユニット５を構成する各部品は、第１の回路基板３２（レーザダイオード３１）、コリメータレンズ３３、スリット３４、シリンダレンズ３５、第２の回路基板４０（ポリゴンミラー３６）、ｆθレンズ３７及びミラー部材３８の順番で、ハウジング部材４２に組み込まれる。第１の回路基板３２及びコリメータレンズ３３が組み込まれた後、スリット３４、シリンダレンズ３５、第２の回路基板４０等が組み込まれる前に、レーザダイオード３１に対するコリメータレンズ３３の位置が調整される。そして、コリメータレンズ３３の位置が調整され、その後スリット３４、シリンダレンズ３５、第２の回路基板４０、ｆθレンズ３７及びミラー部材３８が組み込まれた後、ポリゴンミラー３６に対するシリンダレンズ３５の位置が調整される。
【００２０】
以下、コリメータレンズ３３の位置の調整工程について図４を参照して説明する。コリメータレンズ３３は、シリンダレンズ３５及び第２の回路基板４０がハウジング部材４２に組み込まれる前に、ハウジング部材４２の上のコリメータ保持部４４に保持されている。このとき、コリメータレンズ３３とコリメータ保持部４４の接触部には、硬化前の光硬化性樹脂が塗布されている。この状態でレーザダイオード３１を発光させると、コリメータレンズ３３を透過したレーザビームは、開口４３を通過してハウジング部材４２の外に出射され、上述した開口４３の近傍に設けられている側定器によって測定される。そして、コリメータレンズ３３の光軸方向の位置は、この側定器によって測定された値に基いて微調整される。コリメータレンズ３３の位置の調整が完了すると、光硬化性樹脂に光を照射して硬化させることにより、コリメータレンズ３３はレーザダイオード３１に対して適正な位置に固定される。
【００２１】
以下、シリンダレンズ３５の位置の調整工程について説明する。シリンダレンズ３５は、コリメータレンズ３３に塗布された光硬化接着剤が硬化した後、ハウジング部材４２に組み込まれ、シリンダ保持部４５との接触部に硬化前の光硬化性樹脂が塗布された状態でハウジング部材４２の上のシリンダ保持部４５に保持されている。第２の回路基板４０、ｆθレンズ３７及びミラー部材３８が組み込まれた後に、レーザダイオード３１を発光させながら、ポリゴンミラー３６を適宜回転させると、ミラー部材３８によって反射されたレーザビームがハウジング部材の外に出射される。この反射レーザビームは、その光軸上に設けられている側定器によって測定される。そして、シリンダレンズ３５の光軸方向の位置は、側定器によって測定された値に基いて微調整される。シリンダレンズ３５の位置の調整が完了すると、上記と同様に、光硬化性樹脂に光を照射して硬化させることにより、シリンダレンズ３５はハウジング部材４２の上の適正な位置に固定される。
【００２２】
以上のように、本実施形態のレーザビームプリンタ１によれば、レーザダイオード３１が実装された第１の回路基板３２及びコリメータレンズ３３がハウジング部材４２の上に直接装着され、かつレーザダイオード３１とコリメータレンズ３３とを結んだ延長線Ｌ０の上に開口４３が設けられているので、コリメータレンズ３３の調整時にコリメータレンズ３３を透過したレーザビームを開口４３からハウジング部材４２の外に出射させることができる。従って、開口４３より出射された透過ビームを測定することにより、ハウジング部材４２を治具に装着した状態でコリメータレンズ３３を位置決めすることが可能になる。またその後、ハウジング部材４２を治具から外すことなく、シリンダレンズ３５及びポリゴンミラー３６等をハウジング部材４２に組み込んで、シリンダレンズ３５を位置決めすることができる。これにより、レーザスキャンユニット５の製造工程が簡略化され、レーザビームプリンタ１の製造コストを低減することが可能になる。また、コリメータレンズ３３の位置調整の際にレーザビームを通過させた開口４３には、コネクタ４１が挿入されるので、レーザビームプリンタ１の動作時に開口４３からハウジング部材４２の外部に光が漏れる虞もない。また、従来のレーザビームプリンタ１において必要であったレーザダイオード３１及びコリメータレンズ３３を搭載するコリメータベース部材が不要となるので、レーザスキャンユニット５の部品点数及びその組み立て工数を削減することができ、レーザビームプリンタ１の製造コストを低減することが可能になる。
【００２３】
なお、本発明は上記実施形態の構成に限られることなく種々の変形が可能であり、例えば、レーザスキャンユニット５は、レーザビームプリンタ１に限られることなく、レーザスキャン方式の複写機等の画像形成装置に広く適用することができる。また、コリメータレンズ３３、シリンダレンズ３５、ポリゴンミラー３６及び開口４３は、レーザダイオード３１の光軸上に配置されていればよく、各光学系部品の配置は、図２に示したものに限られない。また、ｆθレンズ３７の替わりに同等の機能を有する走査レンズを用いてもよい。
【図面の簡単な説明】
【００２４】
【図１】本発明の一実施形態によるレーザビームプリンタの構成を示す図。
【図２】同レーザビームプリンタに適用されるレーザスキャンユニットの構成を示す斜視図。
【図３】同レーザスキャンユニットのハウジング部材の側面図。
【図４】同レーザスキャンユニットにおいてコリメータレンズの位置調整を行っている様子を示す平面図。
【符号の説明】
【００２５】
１    レーザビームプリンタ
２    感光体ドラム
４    帯電器（帯電手段）
５    レーザスキャンユニット（露光手段）
６    現像ブラシ（現像手段）
７    転写ローラ（転写手段）
８    定着ローラ（定着手段）
９    給紙トレイ
１１    記録紙搬送機構（搬送手段）
１２    制御部（制御手段）
３１    レーザダイオード
３２    第１の回路基板
３３    コリメータレンズ
３５    シリンダレンズ
３６    ポリゴンミラー
３７    ｆθレンズ
３８    ミラー部材
３９    駆動モータ（駆動手段）
４０    第２の回路基板
４１    コネクタ
４２    ハウジング部材
４３    開口
【図１】
2006123478.tif 000003
【図２】
2006123478.tif 000004
【図３】
2006123478.tif 000005
【図４】
2006123478.tif 000006